(57)【要約】【課題】ベースバンドユニットとリモート無線ユニットとの間の接続装置及びその方法を提供する。【解決手段】該装置は、ベースバンドユニットの光伝送送受信マルチプレックス機能を実現する第１の伝送マルチプレクサと、リモート無線ユニットの光伝送送受信マルチプレックス機能を実現する第２の伝送マルチプレクサと、を備え、前記ベースバンドユニットと前記リモート無線ユニットが前記第１の伝送マルチプレクサと前記第２の伝送マルチプレクサを介してデータを伝送するように、前記第１の伝送マルチプレクサと前記第２の伝送マルチプレクサが接続される。本発明によると、ベースバンドユニットとリモート無線ユニットとの間のシングルリンクのデータ伝送を実現し、伝送路の利用率を向上できる。【選択図】図４
2013527649.tif 000002
【特許請求の範囲】
【請求項１】
ベースバンドユニットの光伝送送受信マルチプレックス機能を実現する第１の伝送マルチプレクサと、
リモート無線ユニットの光伝送送受信マルチプレックス機能を実現する第２の伝送マルチプレクサと、を備え、
前記ベースバンドユニットと前記リモート無線ユニットが前記第１の伝送マルチプレクサと前記第２の伝送マルチプレクサを介してデータを伝送するように、前記第１の伝送マルチプレクサと前記第２の伝送マルチプレクサが接続されることを特徴とするベースバンドユニットとリモート無線ユニットとの間の接続装置。
【請求項２】
前記ベースバンドユニットと前記リモート無線ユニットの光伝送インターフェースのインターフェースタイプが、Ｉｒインターフェース、共通公衆無線インターフェースの中の少なくとも一つを含むことを特徴とする請求項１に記載の接続装置。
【請求項３】
前記第１の伝送マルチプレクサが、
前記ベースバンドユニットのインターフェースの送信機から送信されたデータを受信する第１の入力ポートと、
前記第１の入力ポートからのデータを前記第２の伝送マルチプレクサに送信し、かつ、前記第２の伝送マルチプレクサからのデータを受信する第１の入出力の双方向ポートと、
前記第１の入出力の双方向ポートにより受信されたデータを前記ベースバンドユニットのインターフェースの受信機に送信する第１の出力ポートと、を備えることを特徴とする請求項１に記載の接続装置。
【請求項４】
前記第２の伝送マルチプレクサが、
前記リモート無線ユニットのインターフェースの送信機から送信されるデータを受信する第２の入力ポートと、
前記第２の入力ポートからのデータを前記第１の伝送マルチプレクサに送信し、且つ、前記第１の伝送マルチプレクサからのデータを受信する第２の入出力の双方向ポートと、
前記第２の入出力の双方向ポートにより受信されたデータを前記リモート無線ユニットのインターフェースの受信機に送信する第２の出力ポートと、を備えることを特徴とする請求項１に記載の接続装置。
【請求項５】
前記第１の伝送マルチプレクサと前記第２の伝送マルチプレクサが光ファイバーを介して接続されることを特徴とする請求項１に記載の接続装置。
【請求項６】
第１の伝送マルチプレクサによってベースバンドユニットの光伝送送受信マルチプレックス機能を実現し、
第２の伝送マルチプレクサによってリモート無線ユニットの光伝送送受信マルチプレックス機能を実現し、
前記ベースバンドユニットと前記リモート無線ユニットが前記第１の伝送マルチプレクサと前記第２の伝送マルチプレクサを介してデータを伝送するように、前記第１の伝送マルチプレクサと前記第２の伝送マルチプレクサとを接続するステップを含むことを特徴とするベースバンドユニットとリモート無線ユニットとの間の接続方法。
【請求項７】
前記ベースバンドユニットと前記リモート無線ユニットの光伝送インターフェースのインターフェースタイプが、Ｉｒインターフェース、共通公衆無線インターフェースの中の少なくとも一つを含むことを特徴とする請求項６に記載の接続方法。
【請求項８】
前記第１の伝送マルチプレクサが、第１の入力ポートと、第１の入出力の双方向ポートと、第１の出力ポートと、を備え、前記第１の伝送マルチプレクサによってベースバンドユニットの光伝送送受信マルチプレックス機能を実現するステップが、
前記第１の入力ポートが前記ベースバンドユニットのインターフェースの送信機から送信されたデータを受信し、
前記第１の入出力の双方向ポートが前記第１の入力ポートからのデータを前記第２の伝送マルチプレクサに送信し、且つ、前記第２の伝送マルチプレクサからのデータを受信し、
前記第１の出力ポートが前記第１の入出力の双方向ポートにより受信されたデータを前記ベースバンドユニットのインターフェースの受信機に送信するステップを含むことを特徴とする請求項６に記載の接続方法。
【請求項９】
前記第２の伝送マルチプレクサが、第２の入力ポートと、第２の入出力の双方向ポートと、第２の出力ポートと、を含み、前記第２の伝送マルチプレクサによってリモート無線ユニットの光伝送送受信マルチプレックス機能を実現するステップが、
前記第２の入力ポートが前記リモート無線ユニットのインターフェースの送信機から送信されたデータを受信し、
前記第２の入出力の双方向ポートが前記第２の入力ポートからのデータを前記第１の伝送マルチプレクサに送信し、且つ、前記第１の伝送マルチプレクサからのデータを受信し、
前記第２の出力ポートが前記第２の入出力の双方向ポートにより受信されたデータを前記リモート無線ユニットのインターフェースの受信機に送信するステップを含むことを特徴とする請求項６に記載の接続方法。
【請求項１０】
前記第１の伝送マルチプレクサと前記第２の伝送マルチプレクサが光ファイバーを介して接続されることを特徴とする請求項６に記載の接続方法。
【発明の詳細な説明】
【技術分野】
【０００１】
本発明は、ＴＤＤ移動通信システムに関し、具体的に、ベースバンドユニットとリモート無線ユニットとの間の接続装置及びその方法に関する。
【背景技術】
【０００２】
第三世代移動通信標準の一つである時分割・同期・符号分割多重アクセス技術（ＴＤ−ＳＣＤＭＡ：Ｔｉｍｅ  Ｄｉｖｉｓｉｏｎ−Ｓｙｎｃｈｒｏｎｏｕｓ  ＣＤＭＡ）は、我が国で強力に発展させる移動通信技術である。分散型基地局はＴＤ−ＳＣＤＭＡシステムの重要な構成部分である。分散型基地局は伝統のマクロ基地局をベースバンド処理ユニットと無線処理ユニットとの２つの部分に分割し、ベースバンドユニット（ＢＢＵ：Ｂａｓｅ  Ｂａｎｄ  Ｕｎｉｔ）とリモート無線ユニット（ＲＲＵ：Ｒｅｍｏｔｅ  Ｒａｄｉｏ  Ｕｎｉｔ）を離間させた構造を実現し、ベースバンドユニットとリモート無線ユニットとの間はインターフェースを介して接続される。このような構造を有する基地局は、伝統の基地局に比べ、リモート無線ユニットがアンテナに更に近づくので、ＲＦ信号の損耗を減らし、フィーダー線とアンテナを接続する作業の難易度を低下させることができる。
【０００３】
中華人民共和国工業及び情報化部により発布された「２ＧＨＺ  ＴＤ−ＳＣＤＭＡデジタルセルラ移動通信網  分散型基地局のＩｒインターフェース技術要求」の標準に、ＴＤ−ＳＣＤＭＡシステムの分散型基地局のベースバンドユニットとリモート無線ユニットとの間のインターフェースが規定され、該インターフェースはＩｒインターフェースと呼ばれる。Ｉｒインターフェース部分は、ＴＤ−ＳＣＤＭＡの時分割複信（ＴＤＤ：Ｔｉｍｅ  Ｄｉｖｉｓｉｏｎ  Ｄｕｐｌｅｘｉｎｇ）フレーム構造の特性を利用し、ＲＲＵがそれぞれ受信状態、送信状態である場合、その時アイドル状態であるＩｒインターフェースのダウンリンクタイムスロット、アップリンクタイムスロットのリソースを利用してコントロールシグナルを伝送する。図１に示すように、ＴＤ−ＳＣＤＭＡのフレーム構造を示すブロック図において、各５ｍｓが一つのサブフレーム（Ｓｕｂｆｒａｍｅ）と呼ばれ、各サブフレームは更に８個のタイムスロット（Ｔｉｍｅ  Ｓｌｏｔ）に分けられ、その中の７個のタイムスロットは通常タイムスロットで、一つは特殊タイムスロットである。その中、一番目のタイムスロットはＴＳ０と呼ばれ、常にダウンリンクに用いられ、ＴＳ０直後の二番目のタイムスロットは特殊タイムスロットで、主にセル同期及びランダムアクセスに用いられ、３番目〜８番目の合計６個のタイムスロットはいずれも通常タイムスロットで、それぞれＴＳ１〜ＴＳ６と呼ばれ、その中、ＴＳ１は常にアップリンクに用いられ、アップリンク／ダウンリンクのデータ量に基づいてＴＳ２〜ＴＳ６タイムスロットを分割する。図２は、対称型サービスと非対称型サービスの場合の二つのタイムスロット分割例を示す。
【０００４】
共通公衆無線インターフェース（ＣＰＲＩ：Ｃｏｍｍｏｎ  Ｐｕｂｌｉｃ  Ｒａｄｉｏ  Ｉｎｔｅｒｆａｃｅ）組織により制定された「ＣＰＲＩ  Ｓｐｅｃｉｆｉｃａｔｉｏｎ」に分散型基地局のベースバンドユニットとリモート無線ユニットとの間のインターフェースが規定され、通常、該インターフェースはＣＰＲＩと呼ばれる。ＣＰＲＩについて、異なるモード、異なる配置による伝送需要に適用できるように、６１４．４Ｍｂｐｓ（１ｘとする）、１２２８．８Ｍｂｐｓ（２ｘ）、２４５７．６Ｍｂｐｓ（４ｘ）、３０７２．０Ｍｂｐｓ（５ｘ）、４９１５．２Ｍｂｐｓ（８ｘ）、６１４４．０Ｍｂｐｓ（１０ｘ）、９８３０．４Ｍｂｐｓ（１６ｘ）のような一連の伝送速度を規定した。
【０００５】
図３は、既存のＴＤＤシステムのベースバンドユニットＡとリモート無線ユニットＢとのインターフェースを示す図である。アップリンク方向において、リモート無線ユニットＢはアップリンクインターフェース通路の送信機Ｔｘ’によって、アップリンクのベースバンドデータをアップリンク伝送路Ｃ１を介してベースバンドユニットＡに伝送し、ベースバンドユニットＡのアップリンクインターフェースの受信機Ｒｘがアップリンクのベースバンドデータを受信し、その後、関連する処理を行う。ダウンリンク方向において、ベースバンドユニットＡはダウンリンクインターフェース通路の送信機Ｔｘによって、ダウンリンクのベースバンドデータをダウンリンク伝送路Ｃ２を介してリモート無線ユニットＢに伝送し、リモート無線ユニットＢのダウンリンクインターフェースの受信機Ｒｘ’はダウンリンクのベースバンドデータを受信した後、関連する処理を行う。
【０００６】
上記のように、ベースバンドユニットとリモート無線ユニットとの間のインターフェースはそれぞれアップリンクとダウンリンクのデータを送信する独立した２つの伝送路を有しなければならない。ＴＤＤシステムのアップリンクとダウンリンクがデータを同時に伝送することができないので、ベースバンドユニットとリモート無線ユニットとの間のインターフェースのアップリンク伝送路とダウンリンク伝送路は充分に利用されていない。
【０００７】
総じて言えば、既存技術には、ベースバンドユニットとリモート無線ユニットとの間のインターフェースがデータ伝送用の２つの独立した伝送路が必要であるので、伝送リソースを浪費し、装着作業のコストが高い問題が存在し、当該問題を解決できる改善される技術手段を開発する必要がある。
【発明の概要】
【発明が解決しようとする課題】
【０００８】
本発明は、既存技術におけるベースバンドユニットとリモート無線ユニットとの間のインターフェースが独立した２つの伝送路を介してデータを伝送しなければならないことによって伝送リソースを浪費し、装着作業のコストが高くなる問題に鑑み、ベースバンドユニットとリモート無線ユニットとの間の接続装置及びその方法を提供することを目的とする。
【課題を解決するための手段】
【０００９】
本発明の実施例によるベースバンドユニットとリモート無線ユニットとの間の接続装置は、ベースバンドユニットの光伝送送受信マルチプレックス機能を実現する第１の伝送マルチプレクサと、リモート無線ユニットの光伝送送受信マルチプレックス機能を実現する第２の伝送マルチプレクサと、を備え、その中、ベースバンドユニットとリモート無線ユニットが第１の伝送マルチプレクサと第２の伝送マルチプレクサを介してデータを伝送するように、第１の伝送マルチプレクサと第２の伝送マルチプレクサが接続される。
【００１０】
ベースバンドユニットとリモート無線ユニットの光伝送インターフェースのインターフェースタイプが、Ｉｒインターフェース、共通公衆無線インターフェースの中の少なくとも一つを含むことが好ましい。
【００１１】
第１の伝送マルチプレクサが、ベースバンドユニットのインターフェースの送信機から送信されたデータを受信する第１の入力ポートと、第１の入力ポートからのデータを第２の伝送マルチプレクサに送信し、また、第２の伝送マルチプレクサからのデータを受信する第１の入出力の双方向ポートと、第１の入出力の双方向ポートにより受信されたデータをベースバンドユニットのインターフェースの受信機に送信する第１の出力ポートと、を備えることが好ましい。
【００１２】
第２の伝送マルチプレクサが、リモート無線ユニットのインターフェースの送信機から送信されるデータを受信する第２の入力ポートと、第２の入力ポートからのデータを第１の伝送マルチプレクサに送信し、また、第１の伝送マルチプレクサからのデータを受信する第２の入出力の双方向ポートと、第２の入出力の双方向ポートにより受信されたデータをリモート無線ユニットのインターフェースの受信機に送信する第２の出力ポートと、を備えることが好ましい。
【００１３】
第１の伝送マルチプレクサと第２の伝送マルチプレクサが光ファイバーを介して接続されることが好ましい。
【００１４】
本発明の実施例によるベースバンドユニットとリモート無線ユニットとの間の接続方法は、第１の伝送マルチプレクサによってベースバンドユニットの光伝送送受信マルチプレックス機能を実現し、第２の伝送マルチプレクサによってリモート無線ユニットの光伝送送受信マルチプレックス機能を実現し、ベースバンドユニットとリモート無線ユニットが第１の伝送マルチプレクサと第２の伝送マルチプレクサを介してデータを伝送するように、第１の伝送マルチプレクサと第２の伝送マルチプレクサとを接続するステップを含む。
【００１５】
ベースバンドユニットとリモート無線ユニットの光伝送インターフェースのインターフェースタイプが、Ｉｒインターフェース、共通公衆無線インターフェースの中の少なくとも一つを含むことが好ましい。
【００１６】
第１の伝送マルチプレクサが、第１の入力ポートと、第１の入出力の双方向ポートと、第１の出力ポートと、を備え、上記第１の伝送マルチプレクサによってベースバンドユニットの光伝送送受信マルチプレックス機能を実現するステップが、具体的に、第１の入力ポートがベースバンドユニットのインターフェースの送信機から送信されたデータを受信し、第１の入出力の双方向ポートが第１の入力ポートからのデータを第２の伝送マルチプレクサに送信し、且つ、第２の伝送マルチプレクサからのデータを受信し、第１の出力ポートが第１の入出力の双方向ポートにより受信されたデータをベースバンドユニットのインターフェースの受信機に送信するステップを含む。
【００１７】
第２の伝送マルチプレクサが、第２の入力ポートと、第２の入出力の双方向ポートと、第２の出力ポートと、を含み、第２の伝送マルチプレクサによってリモート無線ユニットの光伝送送受信マルチプレックス機能を実現するステップが、具体的に、第２の入力ポートがリモート無線ユニットのインターフェースの送信機から送信されたデータを受信し、第２の入出力の双方向ポートが第２の入力ポートからのデータを第１の伝送マルチプレクサに送信し、第１の伝送マルチプレクサからのデータを受信し、第２の出力ポートが第２の入出力の双方向ポートにより受信されたデータをリモート無線ユニットのインターフェースの受信機に送信するステップを含むことが好ましい。
【００１８】
第１の伝送マルチプレクサと第２の伝送マルチプレクサが光ファイバーを介して接続されることが好ましい。
【発明の効果】
【００１９】
既存技術に比べ、本発明の上記技術案によると、ベースバンドユニットとリモート無線ユニットとの間にそれぞれ伝送マルチプレクサを設けることによって、ベースバンドユニットとリモート無線ユニットとの間のシングルリンクのデータ伝送を実現し、既存技術における伝送リソースの浪費問題を解決し、装着作業のコストを低減することができる。
【図面の簡単な説明】
【００２０】
【図１】図１は、既存技術に係わるＴＤ−ＳＣＤＭＡフレーム構造を示す図である。
【図２】図２は、既存技術に係わる対称型サービスと非対称型サービスのアップリンク／ダウンリンクサービスのタイムスロット分割例を示す図である。
【図３】図３は、既存技術に係わるベースバンドユニットとリモート無線ユニットとのデュアルリンクの伝送を示す図である。
【図４】図４は、本発明の実施例に係わるベースバンドユニットとリモート無線ユニットとの間の接続装置を示すブロック図である。
【図５】図５は、本発明の実施例に係わるベースバンドユニットとリモート無線ユニットとの間のシングルリンクの伝送を示す図である。
【図６】図６は、本発明の実施例に係わるベースバンドユニットとリモート無線ユニットとの間の接続方法を示すフローチャートである。
【発明を実施するための形態】
【００２１】
本発明によると、ベースバンドユニットとリモート無線ユニット（又はリモート無線ヘッドとも呼ばれる）との間にそれぞれ伝送マルチプレクサを追加し、伝送マルチプレクサの間は一つの光ファイバーを介して接続されてベースバンドユニットとリモート無線ユニットとの間のシングルリンクのデータ伝送を実現し、装着作業のコストを低減する。本発明の実施例による技術案はＴＤ−ＳＣＤＭＡと、時分割―長期進化（ＴＤ−ＬＴＥ：Ｔｉｍｅ  Ｄｉｖｉｓｉｏｎ−Ｌｏｎｇ  Ｔｅｒｍ  Ｅｖｏｌｕｔｉｏｎ）と、ワイマックス（ＷｉＭＡＸ：Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）などのＴＤＤ移動通信システムに応用できる。
【００２２】
本発明の目的、技術案、メリットを更に明確化するため、以下、図面と実施例を結合して本発明を詳しく説明する。
【００２３】
本発明の実施例によると、ベースバンドユニットとリモート無線ユニットとの間の接続装置を提供する。
【００２４】
図４は、本発明の実施例に係わるベースバンドユニットとリモート無線ユニットとの間の接続装置を示すブロック図である。図４に示すように、ベースバンドユニットの光伝送送受信マルチプレックス機能を実現するための第１の伝送マルチプレクサ１０と、リモート無線ユニットの光伝送送受信マルチプレックス機能を実現するための第２の伝送マルチプレクサ２０と、を備え、その中、ベースバンドユニットとリモート無線ユニットが第１の伝送マルチプレクサ１０と第２の伝送マルチプレクサ２０を介してデータを伝送するように、第１の伝送マルチプレクサ１０と第２の伝送マルチプレクサ２０は接続される。
【００２５】
ベースバンドユニットとリモート無線ユニットとの間の光伝送インターフェースのインターフェースタイプはＩｒインターフェース又はＣＰＲＩであってもよい。以下、Ｉｒインターフェースを例として説明する。
【００２６】
本発明の実施例に係わる第１の伝送マルチプレクサ１０はベースバンドユニットのＩｒインターフェースに接続され、第２の伝送マルチプレクサ２０はリモート無線ユニットのＩｒインターフェースに接続される。
【００２７】
図５は、本発明の実施例に係わるベースバンドユニットとリモート無線ユニットとの間のシングルリンク伝送を示す図である。図５に示すように、伝送マルチプレクサＤ（即ち、第１の伝送マルチプレクサ）は、ポート１、ポート２、ポート３の三つのＩ／Ｏ（Ｉｎｐｕｔ／Ｏｕｔｐｕｔ）ポートを備え、その中、ポート１は出力ポート（即ち、第１の出力ポート）で、ポート２は入出力の双方向ポート（即ち、第１の入出力の双方向ポート）で、ポート３は入力ポート（即ち、第１の入力ポート）である。
【００２８】
伝送マルチプレクサＥ（即ち、第２の伝送マルチプレクサ）は、ポート１’、ポート２’、ポート３’の三つのＩ／Ｏポートを備え、その中、ポート１’は入力ポート（即ち、第２の入力ポート）で、ポート２’は入出力の双方向ポート（即ち、第２の入出力の双方向ポート）で、ポート３’は出力ポート（即ち、第２の出力ポート）である。
【００２９】
伝送マルチプレクサＤのポート１はベースバンドユニットのＩｒインターフェースの受信機Ｒｘに、ポート３はベースバンドユニットＡのＩｒインターフェースの送信機Ｔｘに接続され、伝送マルチプレクサＥのポート１’はリモート無線ユニットＢのＩｒインターフェースの送信機Ｔｘ’に、ポート３’はリモート無線ユニットＢのＩｒインターフェースの受信機Ｒｘ’に接続され、伝送路Ｃ（一つの光ファイバー）によって伝送マルチプレクサＤのポート２と伝送マルチプレクサＥのポート２’を接続する。
【００３０】
アップリンク方向において、リモート無線ユニットＢがアップリンクインターフェース通路の送信機Ｔｘ’を介して、アップリンクのベースバンドデータを伝送マルチプレクサＥに伝送し、伝送マルチプレクサＥを経た後、伝送路Ｃを介してベースバンドユニットＡに伝送し、ベースバンドユニットＡのアップリンクインターフェースの受信機Ｒｘが伝送マルチプレクサＤからアップリンクのベースバンドデータを受信し、具体的なアップリンク方向のＩｒインターフェース伝送は以下のステップを含む。
（１）リモート無線ユニットＢがアップリンクベースバンドＩＱ信号をＴｘ’ポートから伝送マルチプレクサＥのポート１’に送信する。
（２）伝送マルチプレクサＥがポート１’により受信されたベースバンドＩＱ信号をポート２’から光ファイバーＣに送信する。
（３）光ファイバーＣがベースバンドＩＱ信号を伝送マルチプレクサＤのポート２に伝送する。
（４）伝送マルチプレクサＤのポート２が受信したベースバンドＩＱ信号を伝送マルチプレクサＤのポート１に送信する。
（５）伝送マルチプレクサＤのポート１がベースバンドＩＱ信号をベースバンドユニットＡのＩｒインターフェースの受信機Ｒｘに伝送する。
【００３１】
ダウンリンク方向において、ベースバンドユニットＡがダウンリンクインターフェース通路の送信機Ｔｘを介して、ダウンリンクのベースバンドデータを伝送マルチプレクサＤに伝送し、伝送マルチプレクサＤを経た後、伝送路Ｃを介してリモート無線ユニットに伝送し、リモート無線ユニットＢのダウンリンクインターフェースの受信機Ｒｘ’が伝送マルチプレクサＥからダウンリンクのベースバンドデータを受信し、具体的なダウンリンク方向のＩｒインターフェース伝送は以下のステップを含む。
（１）ベースバンドユニットＡが、ダウンリンクベースバンドＩＱ信号をＴｘポートから伝送マルチプレクサＤのポート３に送信する。
（２）伝送マルチプレクサＤがポート３により受信されたベースバンドＩＱ信号をポート２から光ファイバーＣに送信する。
（３）光ファイバーＣがベースバンドＩＱ信号を伝送マルチプレクサＥのポート２’に伝送する。
（４）伝送マルチプレクサＥのポート２’が、受信されたベースバンドＩＱ信号を伝送マルチプレクサＥのポート３’に送信する。
（５）伝送マルチプレクサＥのポート３’がベースバンドＩＱ信号をリモート無線ユニットＢのＩｒインターフェースの受信機Ｒｘ’に伝送する。
【００３２】
上記のように、Ｉｒインターフェースを例として説明したが、本発明はこれに限定されなく、ベースバンドユニットとリモート無線ユニットとの間の光伝送インターフェースがＣＰＲＩであってもよく、ここではその説明を省略する。
【００３３】
本発明の実施例に係わる接続装置が独立した装置としてベースバンドユニットとリモート無線ユニットとの間に設けられることができれば、実際応用において柔軟に設けることもできる。例えば、第１の伝送マルチプレクサ１０とベースバンドユニットを一つの装置にして設け、第２の伝送マルチプレクサ２０とリモート無線ユニットを一つの装置にして設けることができる。
【００３４】
上記のように、上記実施例によると、ベースバンドユニットとリモート無線ユニットとの間において、既存技術における２つの伝送路の替わりに一つの伝送路を用いることによって、既存のインターフェースの操作プロセスを修正する必要がなく、コストを低減することができる。
【００３５】
本発明の実施例によると、ベースバンドユニットとリモート無線ユニットとの間の接続方法を提供し、その中、該ベースバンドユニットと該リモート無線ユニットの光伝送インターフェースのインターフェースタイプはＩｒインターフェース又はＣＰＲＩであることができる。
【００３６】
図６は、本発明の実施例に係わるベースバンドユニットとリモート無線ユニットとの間の接続方法を示すフローチャートである。図６に示すように、以下のステップＳ６０２〜Ｓ６０６を含む。
【００３７】
第１の伝送マルチプレクサによってベースバンドユニットの光伝送送受信マルチプレックス機能を実現する（ステップＳ６０２）。
【００３８】
第１の伝送マルチプレクサは、第１の入力ポートと、第１の入出力の双方向ポートと、第１の出力ポートと、を含み、ステップＳ６０２は、具体的に、第１の入力ポートがベースバンドユニットのインターフェースの送信機から送信されたデータを受信し、第１の入出力双方向ポートが第１の入力ポートからのデータを第２の伝送マルチプレクサに送信し、且つ、第２の伝送マルチプレクサからのデータを受信し、第１の出力ポートが第１の入出力の双方向ポートにより受信されたデータをベースバンドユニットのインターフェースの受信機に送信するステップを含む。
【００３９】
第２の伝送マルチプレクサによってリモート無線ユニットの光伝送送受信マルチプレックス機能を実現する（ステップＳ６０４）。
【００４０】
第２の伝送マルチプレクサは、第２の入力ポートと、第２の入出力の双方向ポートと、第２の出力ポートと、を含み、ステップＳ６０４は、具体的に、第２の入力ポートがリモート無線ユニットのインターフェースの送信機から送信されたデータを受信し、第２の入出力の双方向ポートが第２の入力ポートからのデータを第１の伝送マルチプレクサに送信し、第１の伝送マルチプレクサからのデータを受信し、第２の出力ポートが第２の入出力の双方向ポートにより受信されたデータをリモート無線ユニットのインターフェースの受信機に送信するステップを含む。
【００４１】
ベースバンドユニットとリモート無線ユニットは、第１の伝送マルチプレクサと第２の伝送マルチプレクサを介してデータを伝送するように、第１の伝送マルチプレクサと第２の伝送マルチプレクサを接続する（ステップＳ６０６）。具体的に、第１の伝送マルチプレクサと第２の伝送マルチプレクサを一つの光ファイバーを用いて接続する。
【００４２】
上述のように、本発明の上記技術案によると、ベースバンドユニットとリモート無線ユニットとの間にそれぞれ伝送マルチプレクサを追加してベースバンドユニットとリモート無線ユニットとの間のシングルリンクのデータ伝送を実現することによって、既存技術における伝送リソースを浪費する問題を解決し、伝送路の利用率を向上すると共に、事業者による機器配置及び装着作業のコストを低減することができる。
【００４３】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
2013527649.tif 000003
【図２】
2013527649.tif 000004
【図３】
2013527649.tif 000005
【図４】
2013527649.tif 000006
【図５】
2013527649.tif 000007
【図６】
2013527649.tif 000008
【国際調査報告】
2013527649.tif 000009
2013527649.tif 000010
2013527649.tif 000011
2013527649.tif 000012